(57)【要約】      （修正有）【課題】キーが押された後の後半ストロークの距離を増やし、キーを使用する時の手触りを改善することができるキー用弾性素子を提供する。【解決手段】凹部、載置部、プッシュ部を備えるキー用弾性素子であって、載置部２が弾性素子の底部にあり、凹部１が弾性素子の上部にあり、且つ載置部に接続され、プッシュ部が弾性素子の内部にあり、且つ凹部に接続され、凹部の内輪にリブ４が接続される。【選択図】図１ａ
0003227385.tif 000002
【実用新案登録請求の範囲】
【請求項１】
下部は大口径の載置部（２）であり、上部は小口径の凹部（１）から延出し、凹部（１）の底部に当接押圧部（３）が接続され、前記凹部（１）の内輪に軸方向の半円柱形リブ（４）が設けられる、ことを特徴とするキー用弾性素子。
【請求項２】
前記リブ（４）は４〜８本あり、凹部（１）内に均一に分布する、ことを特徴とする請求項１に記載のキー用弾性素子。
【請求項３】
前記弾性素子の高さは１．５〜５ｍｍである、ことを特徴とする請求項１に記載のキー用弾性素子。
【請求項４】
前記凹部（１）の外円の直径は２．５〜４．５ｍｍであり、内円の直径は２〜４ｍｍである、ことを特徴とする請求項１に記載のキー用弾性素子。
【請求項５】
前記載置部（２）の底面の直径は凹部（１）の外円の直径より大きく、その直径は３．５〜６ｍｍであり、壁の厚さは０．３〜０．５ｍｍである、ことを特徴とする請求項１に記載のキー用弾性素子。
【請求項６】
前記リブ（４）は半径０．３〜０．４ｍｍの半円柱である、ことを特徴とする請求項１に記載のキー用弾性素子。
【請求項７】
前記プッシュ部（３）の直径は凹部（１）の内円の直径より小さく、高さは載置部（２）の高さより小さく、その直径は０．５〜１ｍｍであり、高さは０．５〜４ｍｍである、ことを特徴とする請求項１に記載のキー用弾性素子。
【請求項８】
前記弾性素子の材質はゴムである、ことを特徴とする請求項１に記載のキー用弾性素子。
【考案の詳細な説明】
【技術分野】
【０００１】
本考案は弾性素子に関し、さらに具体的には、キー用弾性素子に関する。
【背景技術】
【０００２】
科学技術の発展に伴い、コンピュータのキーボードはより薄く、より軽くなり、薄くて軽いキーボードは見た目が美しく、サイズが小さく、薄くて軽量であり、これは、ノートパソコンのキーボードの開発をより軽く、薄く、短く、小さく、高インテリジェント化の方向に発展させる。
【０００３】
同時に、薄くて軽いキーボードは、防湿、防塵、耐油の性質があり、有害ガスによる損害を防止でき、密閉性が高く、耐酸性および耐アルカリ性、防振性がある。軽くて薄いキー構造において、弾性素子は荷重を伝達し、キーからの指に対する衝撃を緩和する作用を発揮し、ただし、軽くて薄いキーボードにおけるキーのストロークが小さく、現在の弾性素子の上部にある凹溝の面積が大きく、そのため、キーを押した後の後半ストロークの手触り距離が短く、手触り曲線が硬く、長時間使用すると手が疲れやすい。
【考案の概要】
【考案が解決しようとする課題】
【０００４】
本考案は、キーが押された後の後半ストロークの手触り距離を増やし、キーを使用する時の後半ストロークの手触りを改善できるキー用弾性素子を提供することを目的とする。
【課題を解決するための手段】
【０００５】
本考案に記載のキー用弾性素子は、凹部、載置部、プッシュ部を備え、載置部が弾性素子の底部にあり、凹部が弾性素子の上部にあり、且つ載置部に接続され、プッシュ部が弾性素子の内部にあり、且つ凹部に接続され、凹部の内輪にリブが接続される。
【０００６】
ここで、リブは４〜８個あり、凹部内に均一に分布する。
【０００７】
ここで、弾性素子の高さは１．５〜５ｍｍである。
【０００８】
ここで、凹部の外円の直径は２．５〜４．５ｍｍであり、内円の直径は２〜４ｍｍである。
【０００９】
ここで、載置部の底面の直径は凹部の外円の直径より大きく、その直径は３．５〜６ｍｍであり、壁の厚さは０．３〜０．５ｍｍである。
【００１０】
ここで、リブは半径０．３〜０．４ｍｍの半円柱である。
【００１１】
ここで、プッシュ部の直径は凹部の内円の直径より小さく、高さは載置部の高さより小さく、その直径は０．５〜１ｍｍであり、高さは０．５〜４ｍｍである。
【００１２】
ここで、弾性素子の材質はゴムである。
【考案の効果】
【００１３】
キーが押された後の後半ストロークの手触り距離を増やし、手触りを改善する。
【図面の簡単な説明】
【００１４】
【図１ａ】本考案の構造概略図である。
【図１ｂ】本考案の構造概略図である。
【図２ａ】従来の弾性素子の構造概略図である。
【図２ｂ】従来の弾性素子の構造概略図である。
【図３ａ】本考案の弾性素子の断面図である。
【図３ｂ】本考案の弾性素子の断面図である。
【図３ｃ】本考案の弾性素子の断面図である。
【図４】本考案と従来の弾性素子との手触りの曲線図である。
【考案を実施するための形態】
【００１５】
（実施例）
ゴムを一体成形して形成される図１ａと図１ｂとに示されるキー用弾性素子であって、該素子は凹部１、載置部２、プッシュ部３を備え、載置部２が弾性素子の底部にあり、凹部１が弾性素子の上部にあり、且つ載置部２に接続され、プッシュ部３が弾性素子の内部にあり、且つ凹部１に接続され、弾性素子全体の高さは２．５ｍｍであり、凹部１の外円の直径は３ｍｍであり、内円の直径は２ｍｍであり、載置部２の底面の直径は４．５ｍｍであり、壁の厚さは０．５ｍｍであり、プッシュ部の直径は１ｍｍであり、高さは０．８ｍｍであり、凹部１内に４つの半径０．３ｍｍの半円柱形リブ４が均一に分布する。
【００１６】
（比較例）
ゴムを一体成形して形成される図２ａと図２ｂとに示される従来の弾性素子であって、該素子は凹部５、載置部６、プッシュ部７を備え、載置部６が弾性素子の底部にあり、凹部５が弾性素子の上部にあり、且つ載置部６に接続され、プッシュ部７が弾性素子の内部にあり、且つ凹部５に接続され、弾性素子全体の高さは２．５ｍｍであり、凹部５の外円の直径は３ｍｍであり、内円の直径は２ｍｍであり、載置部６の底面の直径は４．５ｍｍであり、壁の厚さは０．５ｍｍであり、プッシュ部の直径は１ｍｍであり、高さは０．８ｍｍである。
【００１７】
図３に示されるように、実線は従来の弾性素子の手触り曲線であり、破線は本考案の手触り曲線であり、前半ストロークにおいて、従来の弾性素子の手触り曲線と本考案の手触り曲線との間に違いはないが、後半ストロークにおいて、本考案の手触り距離は明らかに増えて、手触りが改善される。
【００１８】
図３ａ、図３ｂ、図３ｃに示すように、本考案の弾性素子断面図は３つの部分に分けられ、Ａ部分は押鍵ストロークの前期の手触り感に影響を与え、Ｂ部分は押鍵ストロークの中期の手触り感に影響を与え、Ｃ部分はリブ構造区域で、この部分は垂直方向の力で変形しにくく、水平力で変形しやすい。
【００１９】
図４に示されるように、実線は従来の弾性素子の手触り曲線であり、破線は本考案の手触り曲線である。図４によると、キーがＳ１状態に押されると、Ａ部分が変形し、その中、Ａ部分の上部がリブ構造に支えられ、垂直方向の力を受けても変形しにくく、Ｓ２に下り続けると、Ａ部分が変形し続け、Ｂ部分の下部が底部に下り続け、Ｓ２を超えると、Ａ部分が変形し続け、Ｂ部分が変形し続ける。Ｂ部分の上部がリブ構造であるため、横方向の力を受けて変形しやすいので、手触りが改善される。
【図１ａ】
0003227385.tif 000003
【図１ｂ】
0003227385.tif 000004
【図２ａ】
0003227385.tif 000005
【図２ｂ】
0003227385.tif 000006
【図３ａ】
0003227385.tif 000007
【図３ｂ】
0003227385.tif 000008
【図３ｃ】
0003227385.tif 000009
【図４】
0003227385.tif 000010